(57)【要約】      （修正有）【課題】部品点数の少ない掲示板であって、使用勝手がよく、且つ外観上の体裁がよい有効な掲示板を提供する。【解決手段】押しピンＰが刺通可能な程度に柔軟性を有するマグネットシート１を備え、マグネットシート１の表面側に植毛加工によって化粧仕上げ層２ａが一体形成され、マグネットシート１の裏面側に芯材３が接着され、マグネットシート１の表面側の化粧仕上げ層２ａの化粧仕上げ面２ａ１を被掲示物の取付面４としてなる。【選択図】図４
2010102145.tif 000002
【特許請求の範囲】
【請求項１】
押しピンが刺通可能な程度に柔軟製を有するマグネットシートを備え、該マグネットシートの表面側に植毛加工によって化粧仕上げ層が一体形成され、該マグネットシートの裏面側に芯材が接着され、該マグネットシートの表面側の前記化粧仕上げ層の化粧仕上げ面を被掲示物の取付面としてなることを特徴とする掲示板。
【請求項２】
押しピンが刺通可能な程度に柔軟製を有するマグネットシートを備え、該マグネットシートの表面側に薄布が接着されることによって化粧仕上げ層が一体形成され、該マグネットシートの裏面側に芯材が接着され、該マグネットシートの表面側の前記化粧仕上げ層の化粧仕上げ面を被掲示物の取付面としてなることを特徴とする掲示板。
【請求項３】
前記化粧仕上げ面である取付面に発生する磁気吸着力によって、磁性体からなる押さえ具が取付面に磁気吸着され、これによって、取付面と押さえ具との間で被掲示物が挟持されるようになっている請求項１又は２に記載の掲示板。
【発明の詳細な説明】
【技術分野】
【０００１】
本発明は、掲示板に関するもので、被掲示物を固定するのに、押しピンとマグネット片のいずれの使用も可能な掲示板に関する。
【背景技術】
【０００２】
従来使用されている掲示板としては、コルク板や不織布等からなる表面材上に被掲示物を押しピンにより止め付けるようにした押しピン専用の掲示板、あるいは表面材に鋼板を使用し、この上に被掲示物をマグネット片で押さえて固定するようにしたマグネット式掲示板が知られている。
【０００３】
しかし、この種の従来の掲示板は、被掲示物によって、押しピン、マグネット片又は両方を併用したい時に、押しピン専用またはマグネット専用の掲示板であるから、押しピンを使用する場合は押しピン専用の掲示板を使用しなければならず、また、マグネットを使用する場合はマグネット専用の掲示板を使用しなければならず、さらには、両方使用したい場合は従来の掲示板は使用することができないという問題があった。
【０００４】
そこで、特許文献１には、このような問題点を解決する掲示板の技術が提案されている。この掲示板は、芯材の表面側に押しピンが刺し通し可能なピン支持材を接着剤により接着し、このピン支持材の表面には、多数の押しピン挿入孔が全域にわたって穿設された磁性材からなる表面材が接着剤によって接着されてなるものである。そのため、被掲示物をマグネット片で固定したいときは、表面材に張り付けた被掲示物上の所望位置にマグネット片を当て置けば、各マグネット片が、磁性材からなる表面材に吸着して被掲示物を固定することができる。また、押しピンを使用したいときは、多数の押しピン挿入孔が表面材全域に設けてあるから、表面材に張り付けた被掲示物上の所望位置で押しピンを押しピン挿入孔からピン支持材に刺し通すことによって、被掲示物を固定することができる。さらに、押しピンとマグネット片を併用するときも、上記のような要領で、表面材に張り付けた被掲示物を押しピンとマグネット片とによって適宜に固定することができる。
【特許文献１】登録実用新案第３０３５２４９号公報
【発明の開示】
【発明が解決しようとする課題】
【０００５】
特許文献１の掲示板は、押しピン及びマグネット片のいずれの使用も可能なもので、前記課題を解決するものとしてかなり有用なものであった。しかしながら、ピン支持材の表面に表面材を接着剤によって接着しているため、表面材の分別廃棄をすることができず、又、傷、折れ、打痕等により表面材を取替える必要が生じた場合に、簡単容易に表面材を取替えることができないということがあり、さらに有用な掲示板の開発が望まれていた。
【０００６】
また上述のように、多数の押しピン挿入孔が全域にわたって設けられてなる磁性材からなる表面材をピン支持材の表面に貼着したのものにあっては、押しピンを押しピン挿入孔からピン支持材に刺し込む際に、誤ってピン挿入孔から反れて表面材の表面に押しピンを衝突させて押しピンを折損したり、被掲示物を汚損したり、あるいは押しピンが手にあたって手を傷つけたりする場合が多々あった。
【０００７】
本発明は、このような観点から、押しピンを掲示板本体に刺し込む際に、このような事態の発生が生じないような掲示板を提案することも目的とするものである。
【０００８】
なおまた、特許文献１の掲示板は、多数の押しピン挿入孔から、意匠的処理が何ら施されていないピン支持材が直接外部に露呈していて外観上の体裁があまり良くないため、外観上の体裁が良い掲示板の開発が望まれていた。本発明は、このような観点も加味してなされたもので、外観上の体裁がよい掲示板を提供することも目的としている。
【課題を解決するための手段】
【０００９】
上記目的を達成するための手段を図面の参照符号を付して示せば、請求項１の発明に係る掲示板によれば、押しピンが刺通可能な程度に柔軟性を有するマグネットシート１を備え、該マグネットシート１の表面側に植毛加工によって化粧仕上げ層２ａが一体形成され、該マグネットシート１の裏面側に芯材３が接着され、該マグネットシート１の表面側の前記化粧仕上げ層２ａの化粧仕上げ面２ａ１を被掲示物Ｓの取付面４としてなることを特徴とする。
【００１０】
請求項２の発明に係る掲示板は、押しピンが刺通可能な程度に柔軟性を有するマグネットシート１を備え、該マグネットシート１の表面側に薄布が接着されることによって化粧仕上げ層２ｂが一体形成され、該マグネットシート１の裏面側に芯材３が接着され、該マグネットシート１の表面側の前記化粧仕上げ層２ｂの化粧仕上げ面２ｂ１を被掲示物Ｓの取付面４としてなることを特徴とする。
【００１１】
請求項３の発明に係る掲示板は、前記化粧仕上げ面２ａ１，２ｂ１である取付面４に発生する磁気吸着力によって、磁性体からなる押さえ具５が取付面４に磁気吸着され、これによって、取付面４と押さえ具５との間で被掲示物Ｓが挟持されるようになっている請求項１又は２に記載の構成からなることを特徴とするものである。
【発明の効果】
【００１２】
上記解決手段による発明の効果を、後述する実施形態の参照符号を付して説明すると、請求項１又は２の発明に係る掲示板によれば、この掲示板の使用において、被掲示物Ｓを押さえ具Ｍで固定したいときは、磁気吸引力を有するマグネットシート１の表面側の取付面４の磁気吸引力によって、該取付面４に当接させた押さえ具５が吸着されるから、取付面４に当接させた被掲示物Ｓ上の所望位置に押さえ具５を当て付ければ、各押さえ具５が、取付面４に吸着して被掲示物Ｓを固定することができる。また、押しピンＰを使用したいときは、マグネットシート１は押しピンＰを刺し込むことができる程度に柔軟性を有し軟質であるから、取付面４に当接させた被掲示物Ｓ上の所望位置で押しピンＰを取付面４でマグネットシート１に刺し通すことによって、被掲示物Ｓを容易に固定することができる。また、押しピンＰとマグネット片５を併用するときも、上記のような要領で、取付面４上の被掲示物Ｓを押しピンＰと押さえ具５とによって適宜に固定させることができる。
【００１３】
また本発明によれば、マグネットシート１の表面側に植毛加工によって、あるいは薄布が貼着されることによって化粧仕上げ層２ａ，２ｂが一体形成され、該化粧仕上げ層２ａ，２ｂの化粧仕上げ面２ａ１，２ｂ１を被掲示物Ｓの取付面４としてなるため、取付面４のどのような位置でも何ら制約されることなく、被掲示物Ｓを押さえ具５や押しピンＰによって取り付けることができるから、被掲示物Ｓの取付作業を容易に且つ確実に行うことができる。この点、従来にあっては、前述のように、多数の押しピン挿入孔が全域にわたって設けられてなる磁性材からなる表面材をピン支持材の表面に貼着したのものにあっては、押しピンを押しピン挿入孔からピン支持材に刺し込む際に、誤ってピン挿入孔から反れて表面材の表面に押しピンを衝突させて押しピンを折損したり、被掲示物を汚損したり、あるいは押しピンが手にあたって手を傷つけたりする場合が多々あったが、本発明では、このような難点を確実に払拭するものである。
【００１４】
また本発明にあっては、掲示板本体Ａは、裏面側に芯材３を貼着したマグネットシート１と、マグネットシート１の表面側に植毛加工によって、あるいは薄布が貼着されることによって一体形成された化粧仕上げ層２ａ，２ｂとからなるのみで、マグネットシート１の表面側には、それ以上に何ら表面板等の部材を必要としないから、部品点数が少なく、それだけ安価に製造することができる。
【００１５】
さらに本発明にあっては、マグネットシート１の表面側は、植毛加工によって、あるいは薄布が貼着されることによって一体形成された化粧仕上げ層２ａ，２ｂとからなり、マグネットシート１の表面側全域にわたって、化粧仕上げ層２ａ，２ｂの化粧仕上げ面２ａ１，２ａ１，２ｂ１が隈なく露呈するため、意匠性、視認性及び体裁の優れた外観を有する掲示板を提供することができる。
【００１６】
請求項３の発明に係る掲示板によれば、前記化粧仕上げ面２ａ１，２ｂ１である取付面４に発生する磁気吸着力によって、磁性体からなる押さえ具５が取付面４に磁気吸着され、これによって、取付面４と押さえ具５との間で被掲示物Ｓが挟持されるようになっているから、押さえ具Ｍは、単に磁性体、例えば鉄材や鋼材によって形成すればよく、従来のように永久磁石（マグネット片）を用いる必要がないから、この面でも安価に製作することができる。
【発明を実施するための最良の形態】
【００１７】
以下に本発明の好適な一実施形態を図面に基づいて説明すると、図１は本発明に係る掲示板の正面図、図２は本発明の要部であるマグネットシートのを示すもので、そのうち（ａ）は正面図、（ｂ）は縦断面図、図３は背面図、図４は図１のＸ−Ｘ線拡大詳細縦断面図である。
【００１８】
この掲示板は、正面視矩形状の掲示板本体Ａと、この本体Ａの周縁に取り付けられる周枠Ｂとから構成される。掲示板本体Ａは、図４に示すように、芯材３の表面側に、柔軟性を有し押しピンＰを刺通可能な程度に柔軟製を有するマグネットシート１を接着剤によって接着してなるものである。
【００１９】
マグネットシート１は、フェライト粉等の磁性粉末を天然又は合成ゴムあるいは合成樹脂等のバインダーに混合し混練してシート状に成形し、これを周知の着磁装置によって片面着磁させて、押しピンが刺通可能な程度に柔軟性を有し、片面側に磁気吸引力を有するシート材からなるものである。
【００２０】
このマグネットシート１の裏面側、即ち非着磁面側に上述のように前記芯材３が接着され、マグネットシート１の表面側、即ち着磁面側に、図２（ａ）および（ｂ）に示すような表面側に化粧仕上げ面２ａ１，２ｂ１の表れた化粧仕上げ層２ａ，２ｂが形成される。なお、マグネットシートの磁気吸引力はフェライト粉等の磁石粉末の混合比率や、各種磁石粉末の磁気吸引力の強弱によって決定される。
【００２１】
前記化粧仕上げ層２ａは、マグネットシート１の表面側に植毛加工を施すことによって形成される。植毛加工は、ナイロンやレーヨン等でその太さが直径１１〜９０μｍ、長さが０．３〜５ｍｍ、好ましくは直径が１９μｍ、長さが０．８ｍｍ、あるいは直径が１４μｍ、長さが０．６ｍｍの短繊維を用い、これらの短繊維を植毛対象物であるマグネットシート１の表面に形成した接着層に静電気力によって垂直に植毛されることによって形成されるのであるが、この際、接着層を表面側から見て、図２（ａ）、図１に示すように美観のよい幾何学模様等の意匠模様に形成されることによって、この接着層に植毛される短繊維の分布も幾何学模様等の意匠模様からなる化粧仕上げ面２ａ１を呈することになる。
【００２２】
そして、本発明にあっては、上記化粧仕上げ面２ａ１の全域を直接に被掲示物Ｓの取付面４としてなることを特徴とするものである。なお、芯材３の裏面に、図４に示すように裏面材６を接着剤で貼着することによって形成される。この掲示板本体Ａの縦横のサイズを参考までに例示すれば、縦が約８９０ｍｍ、横が約１７９０ｍｍである。
【００２３】
前記化粧仕上げ層２ａは、植毛加工によって形成されることに限定されるものではなく、例えば、表面２ｂ１に美観の優れた色彩や幾何学模様等の意匠模様の描かれた０．１〜０．３ｍｍ程度の布帛からなる薄布をマグネットシート１の表面側に接着剤で貼着することによって化粧仕上げ層２ｂを形成し、この表面に呈する化粧仕上げ面２ｂ１を取付面４としてもよい。この場合には、化粧仕上げ層２ｂは薄い布帛からなるため容易に形成することができ且つ製造コストも低く抑えることができる。
【００２４】
芯材３は、パーティクルボードからなるもので、その厚みを参考までに例示すれば、約１２ｍｍである。尚、パーティクルボードとは、所要の木材を破砕して粒状にしたものに接着剤を加えて熱圧縮成形した板材料のことであり、軽量で十分な強度もあり、しかも安価である。
【００２５】
芯材３として、パーティクルボード以外に発砲スチロール、段ボール、合板または繊維板（繊維成形板）を使用することができ、これらは特に軽量で、安価に入手できるものである。また、前記パーティクルボード、発砲スチロール、段ボール、合板または繊維板は押しピンＰが刺し通し可能であるから、マグネットシート１が十分に厚く形成されていなくても、マグネットシート１に刺した押しピンＰを芯材３まで通し入れることができる。
【００２６】
このように形成されてなるマグネットシート１は、刺し通された押しピンＰを確実に支持し得るもので、厚みを参考までに例示すれば、約０．５ｍｍである。
【００２７】
裏面材６は、鋼板あるいはアルミニウム板等の金属板かなり、この金属板６には所望の色のカラー塗装が施されている。厚みを参考までに例示すれば、金属板６の厚みは約０．５ｍｍである。この裏面材である金属板６を有することにより、芯材３が補強され掲示板全体として十分な強度が確保され、外観上の体裁も良くなる。
【００２８】
また、周枠Ｂは、図１及び図３より分かるように、上下の横枠８，８と左右の縦枠９，９と、これら上下横枠８，８と左右の縦枠９，９との各コーナー部を接続するコーナー枠１０とから構成され、これらの各枠８，９，１０は、それぞれアルミニウム又は硬質合成樹脂によって一体形成される。
【００２９】
図５は、本発明の他の実施形態を示すもので、柔軟性を有する合成ゴム又は軟質合成樹脂に磁石粉末を混練し着磁させてなるマグネットシート１を備え、該マグネットシート１の表面側に植毛加工によって化粧仕上げ層２ａ，２ｂが一体形成され、該マグネットシート１の裏面側に芯材３が接着剤で貼着され、該マグネットシート１の表面側に植毛加工または薄布の接着によって化粧仕上げ層２ａ，２ｂが形成され、これら化粧仕上げ層２ａ，２ｂの表面側の化粧仕上げ面２ａ１，２ｂ１を被掲示物Ｓの取付面４とする点は、同一符号を付して示すように前記実施形態と同じであるが、さらに前記実施形態にあっては、さらに鋼板あるいはアルミニウム板等の金属板かなる裏面材６を設けているが、この実施形態にあっては、合板または樹脂板（樹脂成形板）からなる芯材３の裏側の上下左右の周縁に補強桟７を当て、アルミ型材製の周枠Ｂを補強桟７にビス１１によって固定することによって、化粧仕上げ層２ａ，２ｂを有するマグネットシート１と芯材３とを一体的に固定するようにしたものである。この実施形態によれば、前記実施形態のように金属板からなる裏面材６を取り付ける必要がなく、その前後左右の周縁を補強桟７と周枠Ｂとで固定するだけであるから構造簡単になり、この面で一層安価に掲示板を製作することができる。
【００３０】
上記のような構成よりなる掲示板を組み立てるには、先ず、掲示板本体Ａを組み立てる。この掲示板本体Ａを組み立てるには、芯材３の表面側にマグネットシート１の裏面側を両面テープ又は接着剤により接着し、芯材３の裏面側に裏面材である金属板６を接着剤によって接着する。そして、前記マグネットシート１の表面側、即ち着磁面側に形成した前述の化粧仕上げ層２ａ，２ｂの化粧仕上げ面２ａ１，２ｂ１を取付面４とするだけで掲示示板本体Ａを組み立てることができる。
【００３１】
掲示板本体Ａを組み立てた後、その掲示板本体Ａの周縁に、図１、図３及び図４に示すように、上下横枠８，８、左右縦枠９，９及び各コーナー枠１０からなる周枠Ｂを嵌合して、夫々裏側からビス１１（図４）で固着すれば、図４に示すように、化粧仕上げ層２ａ，２ｂを有するマグネットシート１、芯材３及び裏面材である金属板６が一体的に重合された状態で周枠Ｂに固定されて掲示板が組み立てられる。
【００３２】
以上説明した本発明の一実施形態に係る掲示板によれば、被掲示物Ｓを押さえ具５で固定したいときは、磁気吸引力を有するマグネットシート１の表面側の取付面４の磁気吸引力によって、該取付面４に当接させた押さえ具５が吸着されるから、取付面４に当接させた被掲示物Ｓ上の所望位置に押さえ具５を当て付ければ、各押さえ具５が、取付面４に吸着して被掲示物Ｓを固定することができる。また、押しピンＰを使用したいときは、マグネットシート１は押しピンＰを刺し込むことができる程度に柔軟性を有し軟質であるから、取付面４に当接させた被掲示物Ｓ上の所望位置で押しピンＰを取付面４でマグネットシート１に刺し通すことによって、被掲示物Ｓを容易に固定することができる。
【００３３】
図６の（ａ）は、押しピンＰを示し、（ｂ）は押さえ具５が示されている。このうち押さえ具５は、（ｃ）の縦断面図にも示すように、全体がボタン形状に形成され、合成樹脂製の外カバー５ａとこれに内蔵された鉄材や鋼材からなる磁性片５ｂとからなる。このように、化粧仕上げ面２ａ１，２ｂである取付面４に発生する磁気吸着力によって押さえ具５が磁気吸着されるようになっているのであるから、押さえ具５は、単に磁性体、例えば鉄材や鋼材からなる磁性片５ｂによって形成すればよく、従来のように永久磁石（マグネット片）を用いる必要がないから、この面でも安価に製作することができる。
【００３４】
また押しピンＰを取付面４から化粧仕上げ層２ａ，２ｂに差し込むことによって取付面４である化粧仕上げ面２ａ１，２ｂ１にピン挿入跡が残るが、化粧仕上げ層２ａ，２ｂを形成しないでマグネットシート１の表面が直接に露出する場合に比べて、ピン挿入跡は化粧仕上げ面２ａ１，２ｂ１の意匠模様内に埋没してその露呈程度が少なく長期間にわたって体裁よく使用することができる。この場合、化粧仕上げ面２ａ１の化粧仕上げ層２ａが植毛加工によって形成されることによって、ピン挿入跡が植毛中に効果的に埋没し一層体裁よく使用することができる。
【図面の簡単な説明】
【００３５】
【図１】本発明に係る掲示板の一実施形態を示す正面図である。
【図２】（ａ）同要部を示すマグネットシートの正面図、（ｂ）縦断面図である。
【図３】同上の掲示板の背面図である。
【図４】図１のＸ−Ｘ線拡大断面図である。
【図５】同Ｘ−Ｘ線拡大断面図に相当する他の実施形態の縦断断面図である。
【図６】（ａ）押しピンを示す。（ｂ）押さえ具を示す。（ｃ）（ｂ）の縦断面図である。
【符号の説明】
【００３６】
１          マグネットシート
２ａ        化粧仕上げ層
２ａ１      化粧仕上げ面
２ｂ        化粧仕上げ層
２ｂ１      化粧仕上げ面
３          芯材
４          取付面
５          押さえ具
６          裏面板
７          補強桟
Ａ          掲示板本体
Ｂ          周枠
Ｐ          押しピン
Ｓ          被掲示物
【図１】
2010102145.tif 000003
【図２】
2010102145.tif 000004
【図３】
2010102145.tif 000005
【図４】
2010102145.tif 000006
【図５】
2010102145.tif 000007
【図６】
2010102145.tif 000008